(57)【特許請求の範囲】
【請求項１】
ウェブブラウザと前記ウェブブラウザ以外のアプリケーションとが動作する携帯端末であって、
画像を表示する表示部と、
前記アプリケーションの実行が開始されると、前記ウェブブラウザをフォアグラウンドで実行させるブラウザ実行部と、
前記ブラウザ実行部により実行された前記ウェブブラウザに、自携帯端末に割り当てられ前記アプリケーションで使用されている第１の識別情報と、前記ウェブブラウザで所定のウェブサイトから取得され自携帯端末を識別する第２の識別情報とを前記ウェブサイトへ送信させるブラウザ制御部と、
を備え、
前記ブラウザ実行部は、前記ウェブブラウザを実行させる際に、前記ウェブブラウザを示す画面を透明又は透明に近い状態で前記表示部に表示させ、
前記ウェブサイトに備えられるウェブサーバは、携帯端末から受信した前記第１の識別情報と前記第２の識別情報との組み合わせから得られる、前記アプリケーションの使用状況と前記ウェブブラウザの閲覧状況とに基づいて、携帯端末へ広告に関する情報を配信する、
携帯端末。
【請求項２】
ウェブブラウザと前記ウェブブラウザ以外のアプリケーションとが動作する携帯端末であって、
画像を表示する表示部と、
前記アプリケーションの実行が開始されると、前記ウェブブラウザをフォアグラウンドで実行させるブラウザ実行部と、
前記ブラウザ実行部により実行された前記ウェブブラウザに、自携帯端末に割り当てられ前記アプリケーションで使用されている第１の識別情報と、前記ウェブブラウザで所定のウェブサイトから取得された自携帯端末を識別する第２の識別情報とを前記ウェブサイトへ送信させるブラウザ制御部と、
を備え、
前記ブラウザ実行部は、前記ウェブブラウザを実行させる際に、前記ウェブブラウザを示す画面を表示可能な最小のサイズ、前記表示部において表示可能な領域の半分のサイズ又は前記表示可能な領域の１０％以下のサイズで前記表示部に表示させ、
前記ウェブサイトに備えられるウェブサーバは、携帯端末から受信した前記第１の識別情報と前記第２の識別情報との組み合わせから得られる、前記アプリケーションの使用状況と前記ウェブブラウザの閲覧状況とに基づいて、携帯端末へ広告に関する情報を配信する、
携帯端末。
【請求項３】
請求項１又は請求項２のいずれかに記載の携帯端末において、
前記ブラウザ実行部は、前記ウェブブラウザを実行させるときに、前記ウェブブラウザを前記ウェブサイトにアクセスさせる、
携帯端末。
【請求項４】
請求項１から請求項３のいずれか一項に記載の携帯端末において、
前記ブラウザ実行部は、
前記ブラウザ制御部が前記第１の識別情報と前記第２の識別情報とを前記ウェブブラウザに送信にさせた後に、前記アプリケーションが再度実行された際に前記第１の識別情報及び前記第２の識別情報に変更が生じていない場合には、前記ウェブブラウザを実行させず、
前記ブラウザ制御部が前記第１の識別情報と前記第２の識別情報とを前記ウェブブラウザに送信にさせた後に、前記アプリケーションが再度実行された際に前記第１の識別情報又は前記第２の識別情報に変更が生じた場合には、前記ウェブブラウザを実行させる、
携帯端末。
【請求項５】
画像を表示する表示部を備え、ウェブブラウザと前記ウェブブラウザ以外のアプリケーションとが動作する携帯端末に備えられるコンピュータを、
前記アプリケーションの実行が開始されると、前記ウェブブラウザをフォアグラウンドで実行させるブラウザ実行部と、
前記ブラウザ実行部により実行された前記ウェブブラウザに、自携帯端末に割り当てられ前記アプリケーションで使用されている第１の識別情報と、前記ウェブブラウザで所定のウェブサイトから取得された自携帯端末を識別する第２の識別情報とを前記ウェブサイトへ送信させるブラウザ制御部と、
して機能させ、
前記ブラウザ実行部は、前記ウェブブラウザを実行させる際に、前記ウェブブラウザを示す画面を透明又は透明に近い状態で前記表示部に表示させ、
前記ウェブサイトに備えられるウェブサーバは、携帯端末から受信した前記第１の識別情報と前記第２の識別情報との組み合わせから得られる、前記アプリケーションの使用状況と前記ウェブブラウザの閲覧状況とに基づいて、携帯端末へ広告に関する情報を配信する、
プログラム。
【請求項６】
画像を表示する表示部を備え、ウェブブラウザと前記ウェブブラウザ以外のアプリケーションとが動作する携帯端末に備えられるコンピュータを、
前記アプリケーションの実行が開始されると、前記ウェブブラウザをフォアグラウンドで実行させるブラウザ実行部と、
前記ブラウザ実行部により実行された前記ウェブブラウザに、自携帯端末に割り当てられ前記アプリケーションで使用されている第１の識別情報と、前記ウェブブラウザで所定のウェブサイトから取得された自携帯端末を識別する第２の識別情報とを前記ウェブサイトへ送信させるブラウザ制御部と、
して機能させ、
前記ブラウザ実行部は、前記ウェブブラウザを実行させる際に、前記ウェブブラウザを示す画面を表示可能な最小のサイズ、前記表示部において表示可能な領域の半分のサイズ又は前記表示可能な領域の１０％以下のサイズで前記表示部に表示させ、
前記ウェブサイトに備えられるウェブサーバは、携帯端末から受信した前記第１の識別情報と前記第２の識別情報との組み合わせから得られる、前記アプリケーションの使用状況と前記ウェブブラウザの閲覧状況とに基づいて、携帯端末へ広告に関する情報を配信する、
プログラム。
【発明の詳細な説明】
【技術分野】
【０００１】
本発明は、携帯端末及びプログラムに関する。
【背景技術】
【０００２】
インターネットにおける広告手法として、特定のウェブサイトのウェブページを閲覧したことがあるユーザに対して、当該ウェブサイトに関連する広告を他のウェブサイトの画像上に表示させることで特定のウェブサイトの再度の閲覧を促す手法がある。このような広告手法は、リターゲティング広告と呼ばれ、広告効果を高める手法として広く利用されている。特許文献１には、リターゲティング広告を実施する技術が記載されている。
【０００３】
特許文献１に記載の技術は、ウェブサーバとウェブブラウザとの間で用いられるクッキー（HTTP Cookie）を利用している。そのため、携帯端末、例えばスマートフォン上で実行されるアプリケーション（以下、アプリという。）介してユーザがウェブサイトを閲覧した場合には、アプリはウェブブラウザのクッキーを利用することができないため、リターゲティング広告を活用できないことがあった。これに対して、特許文献２には、アプリを介したウェブサイトの閲覧履歴をウェブブラウザで利用する技術が記載されている。特許文献２に記載の技術では、アプリとウェブブラウザとからアクセス可能なサーバプロセスをスマートフォン上で実行させ、サーバプロセスがアプリとウェブブラウザとを紐付けることにより、アプリとウェブブラウザとを連携させたリターゲティング広告を可能としている。
【先行技術文献】
【特許文献】
【０００４】
【特許文献１】特開２０１３−０７７１１９号公報
【特許文献２】特許第５７２４０２８号公報
【発明の概要】
【発明が解決しようとする課題】
【０００５】
しかしながら、特許文献２に記載の技術ではスマートフォン上においてサーバプロセスをアプリとして実行する必要がある。そのため、スマートフォンのメモリ領域やＣＰＵ処理時間を占有してしまうため、他のアプリの動作が遅くなることで、スマートフォンの利便性を損なってしまう場合があった。
【０００６】
本発明は、前述の事情に鑑み、携帯端末の利便性を損なわずに広告効果を高めることができる携帯端末及びプログラムを提供することを目的としている。
【課題を解決するための手段】
【０００７】
本発明の一態様は、ウェブブラウザと前記ウェブブラウザ以外のアプリケーションとが動作する携帯端末であって、画像を表示する表示部と、前記アプリケーションの実行が開始されると、前記アプリケーションを介して前記ウェブブラウザをフォアグラウンドで実行させるブラウザ実行部と、自携帯端末に割り当てられている第１の識別情報と、前記ウェブブラウザで取得された第２の識別情報とを所定のウェブサイトへ前記アプリケーションを介して実行された前記ウェブブラウザに送信させるブラウザ制御部と、を備え、前記ブラウザ実行部は、前記ウェブブラウザを実行させる際に、前記ウェブブラウザの画像をユーザに視認されにくい状態で前記表示部に表示させる、携帯端末である。
【０００８】
また、本発明の一態様は、上記の携帯端末において、前記ブラウザ実行部は、前記ウェブブラウザの画面を透明又は透明に近い状態で前記表示部に表示させる。
【０００９】
また、本発明の一態様は、上記の携帯端末において、前記ブラウザ実行部は、前記ウェブブラウザの画面を小さいサイズで前記表示部に表示させる。
【００１０】
また、本発明の一態様は、上記の携帯端末において、前記ブラウザ実行部は、前記アプリケーションを介して前記ウェブブラウザを実行させるときに、前記ウェブブラウザを前記所定のウェブサイトにアクセスさせる。
【００１１】
また、本発明の一態様は、上記の携帯端末において、前記ブラウザ実行部は、前記ブラウザ制御部が前記第１の識別情報と前記第２の識別情報とを前記ウェブブラウザに送信にさせた後に、前記第１の識別情報及び前記第２の識別情報に変更が生じていない場合には、前記アプリケーションを介して前記ウェブブラウザを実行させず、前記ブラウザ制御部が前記第１の識別情報と前記第２の識別情報とを前記ウェブブラウザに送信にさせた後に、前記第１の識別情報又は前記第２の識別情報に変更が生じた場合には、前記アプリケーションの実行が開始されると、前記アプリケーションを介して前記ウェブブラウザを実行させる。
【００１２】
また、本発明の一態様は、画像を表示する表示部を備え、ウェブブラウザと前記ウェブブラウザ以外のアプリケーションとが動作する携帯端末に備えられるコンピュータを、前記アプリケーションの実行が開始されると、前記アプリケーションを介して前記ウェブブラウザをフォアグラウンドで実行させるブラウザ実行部と、自携帯端末に割り当てられている第１の識別情報と、前記ウェブブラウザで取得された第２の識別情報とを所定のウェブサイトへ前記アプリケーションを介して実行された前記ウェブブラウザに送信させるブラウザ制御部と、して機能させ、前記ブラウザ実行部は、前記ウェブブラウザを実行させる際に、前記ウェブブラウザの画像をユーザに視認されにくい状態で前記表示部に表示させる、プログラムである。
【発明の効果】
【００１３】
本発明によれば、携帯端末の利便性を損なわずに広告効果を高めることが可能となる。
【図面の簡単な説明】
【００１４】
【図１】本実施形態における配信システムの構成例を示すブロック図。
【図２】本実施形態における携帯端末の構成例を示すブロック図。
【図３】本実施形態における第１の識別情報と第２の識別情報との同期処理を示すフローチャート。
【図４】比較例における携帯端末が同期処理を実行する際の表示部での画像の表示例を示す図。
【発明を実施するための形態】
【００１５】
以下、図面を参照して、本発明の実施形態における携帯端末及びプログラムを含む配信システムを説明する。図１は、本実施形態における配信システムの構成例を示すブロック図である。配信システムは、複数の携帯端末１と、ウェブサーバ２とを備える。複数の携帯端末１とウェブサーバ２とは、有線通信網又は無線通信網のいずれか又はそれらを組み合わせたネットワーク３を介して相互に通信可能である。所定のウェブサーバとしてのウェブサーバ２は、ユーザがアクセスしたウェブページ又はウェブサイトやユーザが提供を受けたサービスに基づいた情報を、ユーザが利用する携帯端末１へ配信する。
【００１６】
ユーザがアクセスしたウェブページ又はウェブサイトに関する情報は、例えばウェブサーバ２や他のサーバと携帯端末１で実行されるウェブブラウザとの間で利用されるクッキーなどを用いて取得される。また、ユーザが受けたサービスに関する情報は、携帯端末１で実行されるアプリケーション（以下、アプリという。）とサービスを提供するサーバとの間で利用されるＩＤＦＡ（Identification For Advertisers）やＡＤＩＤ（Advertising Identification）などの識別情報を用いて取得される。ウェブサーバ２から配信される情報は、例えば広告情報や、ユーザがアクセスしたウェブサイト又はユーザが提供を受けたサービスに関する情報などである。ユーザが携帯端末１のアプリを利用して提供を受けるサービスは、例えばウェブの閲覧や、物品の購入や、音楽又は映像などのコンテンツのダウンロードなどである。
【００１７】
図２は、本実施形態における携帯端末１の構成例を示すブロック図である。携帯端末１は、例えばスマートフォンやタブレット端末である。携帯端末１は、通信部１１と、制御部１２と、表示部１５とを備える。通信部１１は、ネットワーク３を介してウェブサーバ２と通信を行う。通信部１１は、ウェブサーバ２から受信した情報を制御部１２へ出力し、制御部１２から出力される情報をウェブサーバ２へ送信する。表示部１５は、携帯端末１において実行されているＯＳ、アプリケーション又はウェブブラウザの画像を表示する。
【００１８】
制御部１２は、ブラウザ実行部１３と、ブラウザ制御部１４とを備える。制御部１２は、例えばＣＰＵ（Central Processing Unit）と、一時記憶としてのメモリと、不揮発性の記憶装置（ＥＥＰＲＯＭやハードディスク）とを含み構成される。記憶装置に記憶されたプログラムをメモリに読み出して実行することにより、ＣＰＵがブラウザ実行部１３とブラウザ制御部１４として機能する。また、記憶装置は、アプリやウェブブラウザのプログラムも記憶している。
【００１９】
ブラウザ実行部１３は、携帯端末１においてアプリがフォアグラウンドで実行されると、ウェブブラウザを制御部１２においてＣＰＵにフォアグラウンドで実行させる。ブラウザ実行部１３は、ウェブブラウザを実行させる前に、ウェブブラウザによって表示部１５に表示される画像に対するα値を設定する。ここでα値は、画像の各画素又はすべての画素に対して設けられる透過度を表す数値である。ブラウザ実行部１３により設定されるα値は、画像が完全に透明な状態になる値（透過度が１００％）、又は透過度が１００％に近い値であってユーザがウェブブラウザによって表示部１５に表示される画像を視認できない又は視認しづらくなる値である。なお、１００％又は１００％に近い値に透過度を設定できない場合、透過度に対して設定可能な数値（割合）うち１００％に最も近い値（最大値）を設定してもよい。また、ウェブブラウザによって表示部１５に表示される画像には、ウェブブラウザ自体のフレームやボタンなども含まれる。ブラウザ実行部１３は、ウェブブラウザをアプリ内で実行させてもよいし、ウェブブラウザをアプリ外で実行させてもよい。
【００２０】
ここで、アプリのフォアグラウンドでの実行とは、少なくとも携帯端末１に備えられる表示部１５にアプリの画像が表示され、ユーザの操作をアプリが直接受け付ける状態である。また、アプリのバックグラウンドでの実行とは、アプリが実行されている状態であって、且つ少なくともウェブブラウザ又は他のアプリがフォアグラウンドで実行されている状態である。
【００２１】
ブラウザ制御部１４は、ブラウザ実行部１３によってフォアグラウンドで実行されたウェブブラウザに対してウェブサーバ２へアクセスさせる制御をする。ブラウザ制御部１４は、ウェブブラウザがウェブサーバ２へアクセスする際に、ウェブブラウザに第１の識別情報と第２の識別情報とをウェブサーバ２へ送信させる。第１の識別情報は、前述のＩＤＦＡやＡＩＤなどのように、携帯端末１に対して割り当てられる情報である。第２の識別情報は、クッキーに含まれる情報のように、ウェブブラウザがウェブサーバから取得する情報であってウェブブラウザを識別する情報である。ウェブブラウザによる第１の識別情報及び第２の識別情報のウェブサーバ２への送信は、例えばウェブサーバ２へアクセスする際のＵＲＬの送信とともに行われる。
【００２２】
ブラウザ制御部１４は、ウェブサーバ２への第１の識別情報及び第２の識別情報の送信が完了すると、ウェブブラウザをバックグラウンドで実行させるとともに、アプリをフォアグラウンドでの実行に戻す。第１の識別情報及び第２の識別情報の送信の完了は、ウェブサーバ２からの応答に基づいて検出してもよい。
【００２３】
図３は、本実施形態における第１の識別情報と第２の識別情報との同期処理を示すフローチャートである。携帯端末１においてアプリが実行されると、制御部１２は同期処理を開始する。制御部１２において、同期処理が開始されると、ブラウザ実行部１３は、ウェブブラウザの画像に対するα値を透過度が１００％又は透過度が１００％に近い値を設定し（ステップＳ１１）、ウェブブラウザをフォアグラウンドで実行させる（ステップＳ１２）。なお、ブラウザ実行部１３は、制御部１２においてウェブブラウザが既に起動している場合にはバックグラウンドでの実行からフォアグラウンドで実行に切り替え、ウェブブラウザが起動していない場合にはウェブブラウザのプログラムを記憶装置から読み出してＣＰＵにフォアグラウンドで実行させる。
【００２４】
ブラウザ実行部１３によりウェブブラウザがフォアグラウンドで実行されると、ブラウザ制御部１４は、ウェブブラウザにウェブサーバ２へアクセスさせることで、第１の識別情報（ＩＤＦＡやＡＩＤなど）と第２の識別情報（クッキーＩＤなど）とを組み合わせてウェブサーバ２宛にウェブブラウザに送信させる（ステップＳ１３）。ブラウザ制御部１４は、ウェブサーバ２への第１の識別情報及び第２の識別情報の送信が完了すると、ウェブブラウザをバックグラウンドで実行させるとともにアプリをフォアグラウンドで実行させ（ステップＳ１４）、同期処理を終了させる。なお、ブラウザ制御部１４は、ウェブブラウザをバックグラウンドで実行させず、ウェブブラウザを終了させてもよい。
【００２５】
ウェブサーバ２は、第１の識別情報と第２の識別情報とを組み合わせて受信することにより、携帯端末１を利用したユーザのアプリの使用状況と、同一の携帯端末１を利用したユーザのウェブブラウザによるウェブサイトの閲覧状況とを紐付けることができる。これにより、ウェブサーバ２は、携帯端末１におけるユーザのウェブサイトの閲覧状況に加えて当該ユーザのアプリの使用状況に応じた、ユーザの興味や趣向に関連した情報の配信を行うことができ、広告効果を高めることが可能となる。
【００２６】
なお、携帯端末１が実行する同期処理は、アプリが最初に実行される際に一度実行されればよく、アプリが実行される都度、実行されずともよい。ただし、携帯端末１における第１の識別情報（ＩＤＦＡやＡＩＤなど）が再設定され、同期処理が実行された後に第１の識別情報に変更が生じた場合には、携帯端末１は同期処理を再度実行する。すなわち、同期処理が一度実行された後に第１の識別情報に変更が生じていない場合には、携帯端末１は同期処理を実行せずともよい。また、第２の識別情報に関しても同様であり、同期処理が実行された後に第２の識別情報に変更が生じていない場合には、再度の同期処理は不要であり、第２の識別情報に変更が生じた場合には、同期処理が再度実行される。
【００２７】
図４は、比較例における携帯端末が同期処理を実行する際の表示部での画像の表示例を示す図である。図４（ａ）に示すように、携帯端末においてアプリをフォアグラウンドで実行している状態でウェブブラウザをフォアグラウンドで実行した場合、図４（ｂ）や図４（ｃ）で示すように、ウェブブラウザの画像がアプリの画像に代えて表示される。図４（ｂ）及び図４（ｃ）では、ウェブブラウザの画像が画面の下から迫り上がる場合の表示例が示されている。図４に示すように、ウェブブラウザが第１の識別情報と第２の識別情報とを組み合わせて送信する際に、ウェブブラウザの画像が表示されてしまうため、ユーザがアプリの画像を見ることを遮ってしまうため、ユーザビリティが低下してしまうことがあった。
【００２８】
これに対して、本実施形態における携帯端末１が行う同期処理では、ブラウザ実行部１３がウェブブラウザを実行させるときに、ウェブブラウザの画像に対する透過度を１００％又は１００％に近い値にする。ウェブブラウザの画像を１００％又は１００％に近い透過度で表示させるため、図４に示したようにウェブブラウザの画像がしたから迫り上がったとしても、アプリの画像は遮られることなく表示され続ける。ウェブブラウザの画像をユーザが視認されにくい状態で表示部１５に表示させることにより、ユーザビリティを低下させることなく、広告効果を高めることが可能となる。
【００２９】
また、本実施形態における携帯端末１が行う同期処理では、アプリとウェブブラウザとの他にアプリやサーバプロセスなどを実行させることがないので、携帯端末１の制御部１２におけるメモリ領域やＣＰＵ処理時間を占有することがない。これにより、電力消費量が増加してバッテリーの持ちが悪くなることがなく、携帯端末１の利便性を損なわずに広告効果を高めることができる。
【００３０】
また、同期処理では、ウェブブラウザを実行させるときに、ウェブブラウザにウェブサーバ２へアクセスさせることにより、第１の識別情報と第２の識別情報との組み合わせをウェブサーバ２へ即座に送信させている。これにより、ウェブブラウザの実行によってアプリのフォアグラウンドで実行が中断される時間を短くすることができ、ユーザビリティの低下を抑えることができる。
【００３１】
また、同期処理が実行された後に、第１の識別情報又は第２の識別情報に変更が生じるまで、同期処理が再度実行されないので、同期処理が繰り返し実行されることでユーザビリティが低下する可能性を抑えることができる。
【００３２】
なお、本実施形態における携帯端末１の制御部１２が備えるブラウザ実行部１３及びブラウザ制御部１４は、携帯端末１において実行されるアプリ内の機能としてアプリに実装されていてもよい。
【００３３】
また、本実施形態の同期処理におけるウェブブラウザの画像をユーザに視認されにくい状態として、透過度を１００％又は１００％に近い値でウェブブラウザに画像を表示する状態を説明したが、他の手法を用いてもよい。他の手法としては、例えばウェブブラウザの画像を小さいサイズに定め、ユーザに視認されにくい位置に表示させてもよい。ウェブブラウザの画像のサイズは、表示部１５において表示可能なサイズのうち最も小さいサイズや、表示可能なサイズの半分のサイズ、１０％以下のサイズなどとしてもよい。また、ユーザに視認されにくい位置は、例えば表示部１５の表示領域が矩形である場合には４つの隅のいずれかの隅や、表示領域の端などである。あるいは、携帯端末１において、表示部１５における表示領域より広い表示領域が仮想的に定められている場合、表示部１５における表示領域の外側の表示領域にウェブブラウザの画像を表示させるようにしてもよい。
【００３４】
また、本実施形態では、アプリ及びウェブブラウザを用いたユーザの利用履歴に基づいて広告情報を携帯端末に配信する構成を説明した。しかし、携帯端末へ配信する情報は、広告に限らず、情報を配信する情報提供者又はユーザにとって有益となり得る情報であってもよい。また、本実施形態では、ウェブサーバ２が携帯端末１に対して情報を配信する動作を説明したが、ウェブサーバ２は携帯端末１に対して情報を配信せずともよい。この場合、ウェブサーバ２は、携帯端末１における第１の識別情報（ＩＤＦＡやＡＩＤなど）と第２の識別情報（クッキーＩＤなど）との対応関係を他の装置へ通知してもよい。また、対応関係の通知を受けた他の装置が、携帯端末１に情報を配信するようにしてもよい。
【００３５】
前述した実施形態における携帯端末１の制御部１２が有するブラウザ実行部やブラウザ制御部それぞれを実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また、このプログラムは、前述した構成要素の一部を実現するためのものであってもよく、更に前述した構成要素をコンピュータシステムに既に記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００３６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００３７】
携帯端末の利便性を損なわずに広告効果を高めることが不可欠な用途にも適用できる。
【符号の説明】
【００３８】
１…携帯端末、２…ウェブサーバ、３…ネットワーク、１１…通信部、１２…制御部、１３…ブラウザ実行部、１４…ブラウザ制御部、１５…表示部
【要約】
【課題】携帯端末の利便性を損なわずに広告効果を高める。
【解決手段】携帯端末は、画像を表示する表示部と、アプリケーションの実行が開始されると、アプリケーションを介してウェブブラウザをフォアグラウンドで実行させるブラウザ実行部と、自携帯端末に割り当てられている第１の識別情報と、ウェブブラウザで取得された第２の識別情報とを所定のウェブサイトへアプリケーションを介して実行されたウェブブラウザに送信させるブラウザ制御部と、を備える。ブラウザ実行部は、ウェブブラウザを実行させる際に、ウェブブラウザの画像をユーザに視認されにくい状態で表示部に表示させる。
【選択図】図１【図１】
0006032860.tif 000002
【図２】
0006032860.tif 000003
【図３】
0006032860.tif 000004
【図４】
0006032860.tif 000005